【事件の表示】
　特願２００７−　１２４０２「クエリーログを利用したキーワードとサイトの関連度を求める方法」拒絶査定不服審判事件〔平成２０年　８月　７日出願公開、特開２００８−１８１１８６〕について、次のとおり審決する。
【結　論】
　本件審判の請求は、成り立たない。
【理　由】
１．手続の経緯  
　本願は平成１９年１月２３日の出願であって、平成２３年９月７日付けの拒絶理由の通知に対し、平成２３年１１月１４日付けで意見書が提出されるとともに手続補正がなされたが、平成２４年３月５日付けで拒絶査定がされ、これに対し、平成２４年６月８日付けで拒絶査定不服審判の請求がなされたものである。  
 　  
２．本願発明  
　本願の請求項１に係る発明（以下「本願発明」という。）は、平成２３年１１月１４日付けの手続補正書によって補正された明細書、特許請求の範囲及び図面の記載からみて、特許請求の範囲の請求項１に記載された事項により特定される、次のとおりのものである。　　 
 「通信ネットワークを介して複数のユーザの端末と接続可能なサーバが実行する方法であって、
　前記サーバが、前記端末から検索クエリーとしてのキーワードを受けた場合に当該キーワードに対するＷｅｂページのＵＲＬを示す検索結果ページを生成し、当該端末に送信するステップと、
　前記サーバが、前記キーワードと、前記端末に送信された前記検索結果ページからユーザに指定されたＵＲＬとを対応付けたクリックログを前記サーバに設けられたログ記憶手段に集積するステップと、
　前記サーバが、前記ログ記憶手段に記憶された前記クリックログから、所定のキーワード・リスト内のキーワードと合致する前記キーワードに対応付けられたＵＲＬを抽出するステップと、
　を含む方法。」 
 　  
３．引用例について 
（１）原査定の拒絶の理由に引用された、本願出願前の平成１６年７月２２日に頒布された、特開２００４−２０６５１７号公報（以下、「引用例１」という。）には、図面とともに、次の事項が記載されている。（なお、下線は当審において付与したものである。） 
（ア）「【０００８】
また、上記課題を解決するために案出された本発明によるホットサイト提示方法は、ネットワークを通じて
複数の端末と接続される第１サーバ
・・・（中略）・・・
【００１１】
【発明の実施の形態】
以下、図面に基づいて、本発明によるホットキーワード提示方法及びホットサイト提示方法の実施の形態を、説明する。
（システム構成）
図１は、上記
ホットキーワード提示方法及びホットサイト提示方法が実現されているネットワークシステム
インターネットＮによって互いに接続された検索サービスシステム１、複数のユーザ端末２
から、構成されている。
検索サービスシステム１は、ＬＡＮ（ローカルエリアネットワーク）Ｌを介して相互に接続された複数台のサーバ（検索サーバ１１
ログ集計サーバ１３
から、構成されている。
・・・（中略）・・・
【００１６】
また、
第１のサーバとしての検索サーバ１１は、ルータ１６を介してユーザ端末２から受信した要求（ＨＴＴＰリクエスト）に応じて、検索画面をディスプレイ２２上に表示させるためのＨＴＭＬデータをユーザ端末２へ返送し、この検索画面に入力されたキーワードをパラメータとして含む検索要求（検索キーワードを含む検索要求）に応じて、その通信を識別するための一意の識別情報であるセッションＩＤを生成するとともに、ウェブサイトの検索を行い、その検索結果に基づいて検索結果画面（即ち、キーワードを何らかの形で含むウェブサイトの名称を所定のランク順にリストアップするとともにセッションＩＤを表示した画面）を表示させるためのＨＴＭＬデータを生成し、そのＨＴＭＬデータをユーザ端末２へ応答するサーバコンピュータである。
検索結果画面にリストアップされた各ウェブサイトの名称には、それがクリックされた場合には、リダイレクトサーバ１２のＵＲＬをリンク先とするとととともに、そのウェブサイトのＵＲＬ（場所情報）をパラメータとしたアクセス要求をリンク先であるリダイレクトサーバ１２へ送信させる命令（アンカータグ）が、組み込まれている。従って、この検索結果画面中にリストアップされている何れかのウェブサイトの名称がユーザ端末２においてクリックされると、ブラウザ２６は、リダイレクトサーバ１２にアクセスして、セッションＩＤとともに、そのウェブサイトのＵＲＬをパラメータとして含むアクセス要求を送信することになる。
【００１７】
検索サーバ１１のハードウェアは、互いにバスＢによって接続されたＣＰＵ１１０、通信アダプタ１１１、ＲＡＭ１１２及びハードディスク１１３から、構成されている。これらのうち、ＣＰＵ１１０は、検索サーバ１１全体の制御を行う中央処理装置である。また、ＲＡＭ１１２は、ＣＰＵ１１０が各種処理を実行するに際しての作業領域が展開される主記憶装置である。また、通信アダプタ１１１は、インターネットＮが構築されている回線（インターネットバックボーン）とのインターフェースをなす通信装置である。
【００１８】
ハードディスク１１３は、ＣＰＵ１１０によって読み出されて実行される各種プログラム及び各種データを格納する外部記憶装置である。このハードディスク１３に格納されるデータとしては、図７にその詳細構成を示す検索キーワードログ１１３１が含まれており、プログラムとしては、ＲＡＭ１１２上に読み出されることによってＣＰＵ１１０に対して上述した処理を実行させるとともに、その検索実行の記録である検索キーワードログ１１３をハードディスク１１３に格納させる検索サーバプログラム１１２１が含まれている。
この検索キーワードログ１１３１は、個々の検索毎に生成され、その検索日時（検索情報）、その検索に用いられたキーワード（検索キーワード）、及び、その検索のための通信に付与されたセッションＩＤ（一意の識別情報）から、構成されている。
【００１９】
また、第２サーバとしてのリダイレクトサーバ１２は、ルータ１６を介してユーザ端末２から受信したアクセス要求に応じて、通知されたＵＲＬ及びセッションＩＤを記録するとともに、通知されたＵＲＬを宛先としてアクセス要求を転送する（即ち、リダイレクトする）サーバコンピュータである。
【００２０】
リダイレクトサーバ１２のハードウェアは、検索サーバ１１とほぼ共通している。但し、ハードディスク１２３には、プログラムとして、ＲＡＭ１２２上に読み出されることによってＣＰＵ１２０に対して上述した処理を実行させる検索サーバプログラム１２２１が格納されており、データとして、ＣＰＵ１２０による上記処理実行を通じてＵＲＬ及びセッションＩＤを記録するリダイレクトサイトログ１２３１（転送ログ）が格納される。
このリダイレクトサイトログ１２３１は、個々のアクセス要求毎に生成され、その転送の時刻（リダイレクト日時）、通知されたＵＲＬ（リダイレクトＵＲＬ、即ち場所情報）、及び、通知されたセッションＩＤ（一意の識別情報）から、構成されている。」　
（イ）「【００２７】
まず最初に、検索サーバプログラム１１２１に従った検索サーバ１１の処理内容を説明する。図２は、この検索サーバプログラム１１２１による処理内容を示すフローチャートである。
・・・（中略）・・・
【００３１】
次のＳ００５では、検索サーバ１１は、Ｓ００３での検索に用いた検索キーワード、Ｓ００４にて生成したセッションＩＤ、及び検索日時としての現在日時からなる検索キーワードログ１１３１を生成して、ハードディスク１１３に格納する。
【００３２】
次のＳ００６では、
検索サーバ１１は、Ｓ００３での検索結果及びＳ００４にて生成したセッションＩＤに基づいて、図１４に示すような検索結果ページを表示させるためのＨＴＭＬデータを生成して、リクエスト元のユーザ端末２へ送信する。
【００３３】
次に、リダイレクトサーバプログラム１２２１に従ったリダイレクトサーバ１２の処理内容を説明する。図３は、
このリダイレクトサーバプログラム１２２１による処理内容を示すフローチャートである。このリダイレクトサーバプログラム１２２１は、自己を示すＵＲＬを指定したアクセス要求（即ち、上述したように、検索結果ページ上の何れかのウェブサイトの名称がクリックされた時に送信されるとともにリダイレクトＵＲＬ及びセッションＩＤを含むアクセス要求）がユーザ端末２から送信され（アクセス要求ステップ）、このアクセス要求を受信した時に、スタートする。そして、スタート後最初のＳ２０１では、リダイレクトサーバ１２は、アクセス要求に含まれるセッションＩＤ及びリダイレクトＵＲＬ、並びにリダイレクト日時としての現在日時からなるリダイレクトサイトログ（転送ログ）１２３１を生成して、ハードディスク１２３に格納する。
【００３４】
次のＳ２０２では、リダイレクトサーバ１２は、アクセス要求にパラメータとして含まれるリダイレクトＵＲＬを宛先として、アクセス要求を、そのリダイレクトＵＲＬが示すコンテンツプロバイダサーバ３へ転送する。このＳ２０２を完了すると、リダイレクトサーバ１２は、リダイレクトサーバプログラム１２２１による全処理を完了する。以上に説明したＳ２０１及びＳ２０２が、転送ステップに相当する。」
（ウ）「【００３５】
次に、ログ集計サーバプログラム１３２１に従ったログ集計サーバ１３の処理内容を説明する。
・・・（中略）・・・
【００３９】
次のＳ３０４では、
ログ集計サーバ１３は、
各検索キーワードログ１１３１の内容（レコード）と後者に含まれる各リダイレクトログ１２３１の内容（レコード）とを、それらに含まれるセッションＩＤをキーとして連結し、連結されたレコード対に含まれ得る検索キーワード及びリダイレクトＵＲＬの組合せ毎に、
集計する
そして、各検索キーワード及びリダイレクトＵＲＬの組合せ毎に
キーワードサイトランキングデータベース１３３５に登録する
このキーワードサイトランキングデータベース１３３５は、図１０に示すように、現在年月日時刻（YYYYMMDDHH）、検索キーワード、リダイレクトＵＲＬ及び回数からなるレコードが、蓄積される構造となっている。
（エ）「【００４０】
図５及び図６は、検索サービス提供事業者の従業員がコンソール１５から特定コマンドをログ集計サーバ１３へ送信することによってスタートする「Ｈｏｔキーワード＆Ｈｏｔサイト決定処理」及び「Ｈｏｔキーワード＆Ｈｏｔサイトページ生成処理」を示すフローチャートである。
・・・（中略）・・・
【００４５】
次のＳ４０５では、ログ集計サーバ１３は、Ｓ４０３にて取得した「集計期間」にその「YYYYMMDDHH」の値が含まれているものとしてＳ４０４にて抽出した全レコードを、その「検索キーワード」毎に分類し、「検索キーワード」を共通するものとして分類されたレコード群毎にその「回数」の総和を第１集計値として集計する。同様に、ログ集計サーバ１３は、Ｓ４０３にて取得した「対象集計期間」にその「YYYYMMDDHH」の値が含まれているものとしてＳ４０４にて抽出した全レコードを、その「検索キーワード」毎に分類し、「検索キーワード」を共通するものとして分類されたレコード群毎にその「回数」の総和を第２集計値として集計する。そして、「集計期間」にその「YYYYMMDDHH」の値が含まれているレコードに基づいて算出した「回数」の総和がＳ４０３にて取得した「最低検索回数（検索回数）」以上である「検索キーワード」についてのみ、「集計期間」にその「YYYYMMDDHH」の値が含まれているレコードに基づいて算出した「回数」の総和（第１集計値、以下、「集計期間検索回数」という）、及び、「対象集計期間」にその「YYYYMMDDHH」の値が含まれているレコードに基づいて算出した「回数」の総和（第２集計値、以下、「対象集計期間検索回数」という）を、Ｈｏｔキーワードデータベース１３３９に登録する。
このＨｏｔキーワードデータベース１３３９は、図１１に示すように、検索キーワード毎に、その検索キーワード、集計期間検索回数（第１集計値）、対象集計期間検索回数（第２集計値）、後述するＮＧワードフラグ、定番ワードフラグ、及びＯＫワードフラグからなるレコードが、登録される構造となっている。
【００４６】
次のＳ４０６では、
ログ集計サーバ１３は、キーワードサイトランキングデータベース１３３５から、Ｈｏｔキーワードデータベース１３３９に登録されている各検索キーワード含み、且つ、Ｓ４０３にて取得した「集計期間」又は「対象集計期間」にその「YYYYMMDDHH」の値が含まれている全レコードを、抽出する。
（オ）「【００５８】
なお、本実施形態においては、検索サーバプログラム１１２１，リアダイレクトサーバプログラム１２２１，ログ集計サーバプログラム１３２１及びページ公開サーバプログラム１４２１が夫々別々のサーバコンピュータ上で実行されるものとして説明したが、これらプログラムは、一台のサーバコンピュータ上において並行実行又は時系列に実行されるものであっても良い。また、本実施形態においては、検索サーバ１１，リダイレクトサーバ１２，ログ集計サーバ１３及びページ公開サーバ１４は、ＬＡＮを介して相互に接続されるものであるとして説明したが、これらサーバコンピュータは、インターネットＮを介して互いに接続されていても良い。
　
（２）上記記載及び図面から、引用例１には、以下のことが記載されているということができる。  
（ａ）上記（ア）の「図１は、上記ホットキーワード提示方法及びホットサイト提示方法が実現されているネットワークシステムの概略構成を示すブロック図である。この図１に示されるように、このネットワークシステムは、インターネットＮによって互いに接続された検索サービスシステム１、複数のユーザ端末２（図１においては１台のみ図示）、複数のコンテンツプロバイダサーバ３、及びフィルタリングリング事業者サーバ４から、構成されている。さらに、検索サービスシステム１は、ＬＡＮ（ローカルエリアネットワーク）Ｌを介して相互に接続された複数台のサーバ（検索サーバ１１、リダイレクトサーバ１２、ログ集計サーバ１３、ページ公開サーバ１４）、コンソール１５、及びルータ１６から、構成されている」との記載から、引用例１には、ホットキーワード提示方法及びホットサイト提示方法が実現されているネットワークシステムとして、インターネットによって複数のユーザ端末に接続された検索サービスシステムであって、該検索サービスシステムは、検索サーバ、ログ集計サーバ等の複数台のサーバから構成されること、が記載されていると解される。
　　
（ｂ）上記（ア）の「第１のサーバとしての検索サーバ１１は、ルータ１６を介してユーザ端末２から受信した要求（ＨＴＴＰリクエスト）に応じて、検索画面をディスプレイ２２上に表示させるためのＨＴＭＬデータをユーザ端末２へ返送し、この検索画面に入力されたキーワードをパラメータとして含む検索要求（検索キーワードを含む検索要求）に応じて、その通信を識別するための一意の識別情報であるセッションＩＤを生成するとともに、ウェブサイトの検索を行い、その検索結果に基づいて検索結果画面（即ち、キーワードを何らかの形で含むウェブサイトの名称を所定のランク順にリストアップするとともにセッションＩＤを表示した画面）を表示させるためのＨＴＭＬデータを生成し、そのＨＴＭＬデータをユーザ端末２へ応答するサーバコンピュータである。」との記載、及び、「検索結果画面にリストアップされた各ウェブサイトの名称には、それがクリックされた場合には、リダイレクトサーバ１２のＵＲＬをリンク先とするとととともに、そのウェブサイトのＵＲＬ（場所情報）をパラメータとしたアクセス要求をリンク先であるリダイレクトサーバ１２へ送信させる命令（アンカータグ）が、組み込まれている。従って、この検索結果画面中にリストアップされている何れかのウェブサイトの名称がユーザ端末２においてクリックされると、ブラウザ２６は、リダイレクトサーバ１２にアクセスして、セッションＩＤとともに、そのウェブサイトのＵＲＬをパラメータとして含むアクセス要求を送信することになる。」との記載、並びに、上記（イ）の「検索サーバ１１は、Ｓ００３での検索結果及びＳ００４にて生成したセッションＩＤに基づいて、図１４に示すような検索結果ページを表示させるためのＨＴＭＬデータを生成して、リクエスト元のユーザ端末２へ送信する。」との記載から、引用例１には、検索サーバが、ユーザ端末から検索キーワードを含む検索要求を受信した場合に、検索キーワードを含むウェブサイトの名称をリストアップし、リストアップされた各ウェブサイトの名称がクリックされた場合に各ウェブサイトのＵＲＬをパラメータとしたアクセス要求を送信させるアンカータグが組み込まれている検索結果ページを表示させるためのＨＴＭＬデータを生成し、ユーザ端末へ応答すること、が記載されていると解される。
　　
（ｃ）上記（ア）の「この検索画面に入力されたキーワードをパラメータとして含む検索要求（検索キーワードを含む検索要求）に応じて、その通信を識別するための一意の識別情報であるセッションＩＤを生成する」との記載から、セッションＩＤは検索キーワードを含む検索要求に応じて生成されるものであると解される。
　また、上記（イ）の「このリダイレクトサーバプログラム１２２１は、自己を示すＵＲＬを指定したアクセス要求（即ち、上述したように、検索結果ページ上の何れかのウェブサイトの名称がクリックされた時に送信されるとともにリダイレクトＵＲＬ及びセッションＩＤを含むアクセス要求）がユーザ端末２から送信され（アクセス要求ステップ）、このアクセス要求を受信した時に、スタートする。そして、スタート後最初のＳ２０１では、リダイレクトサーバ１２は、アクセス要求に含まれるセッションＩＤ及びリダイレクトＵＲＬ、並びにリダイレクト日時としての現在日時からなるリダイレクトサイトログ（転送ログ）１２３１を生成して、ハードディスク１２３に格納する。」との記載から、リダイレクトＵＲＬは、検索結果ページからユーザにクリックされたウェブサイトの名称のウェブサイトのＵＲＬを表すと解される。
　そして、これらの事項及び上記（ウ）の「次のＳ３０４では、ログ集計サーバ１３は、キーワードログデータベース１３３２に登録されている過去１時間分の検索キーワードログ１１３１の内容（レコード）及びリダイレクトサイトログデータベース１３３３に登録されている過去１時間分のリダイレクトサイトログ１２３１の内容（即ち、リダイレクト日時が前回の集計処理の実行時よりも後である全レコード）に基づき、前者に含まれる各検索キーワードログ１１３１の内容（レコード）と後者に含まれる各リダイレクトログ１２３１の内容（レコード）とを、それらに含まれるセッションＩＤをキーとして連結し、連結されたレコード対に含まれ得る検索キーワード及びリダイレクトＵＲＬの組合せ毎に、その組合わせを含むレコード対の数を集計する（即ち、過去１時間の間に、個々の検索キーワードによる検索に基づいて各リダイレクトＵＲＬがアクセスアクセスされた回数を集計する。）。そして、各検索キーワード及びリダイレクトＵＲＬの組合せ毎に、集計された回数及び現在年月日時刻を、キーワードサイトランキングデータベース１３３５に登録する（サイト順位決定ステップに相当）。」との記載から、引用例１には、ログ集計サーバが、前記検索キーワード及び、前記ＨＴＭＬデータによる検索結果ページ上の何れかのウェブサイトの名称がクリックされた時に送信されたリダイレクトＵＲＬの組合せを含むレコードを、該ログ集計サーバに格納されているキーワードサイトランキングデータベースに登録すること、が記載されていると解される。
　　
（ｄ）上記（エ）の「次のＳ４０６では、ログ集計サーバ１３は、キーワードサイトランキングデータベース１３３５から、Ｈｏｔキーワードデータベース１３３９に登録されている各検索キーワード含み、且つ、Ｓ４０３にて取得した「集計期間」又は「対象集計期間」にその「YYYYMMDDHH」の値が含まれている全レコードを、抽出する。」との記載から、ログ集計サーバは、キーワードサイトランキングデータベースのレコードから、Ｈｏｔキーワードデータベースに登録されている各検索キーワードが含まれているレコードを抽出すること、が記載されていると解される。
　そして、上記（ウ）の「このキーワードサイトランキングデータベース１３３５は、図１０に示すように、現在年月日時刻（YYYYMMDDHH）、検索キーワード、リダイレクトＵＲＬ及び回数からなるレコードが、蓄積される構造となっている。」という記載から、キーワードサイトランキングデータベースのレコードはリダイレクトＵＲＬを含むため、当該事項を参酌すると、引用例１には、ログ集計サーバが、キーワードサイトランキングデータベースのレコードから、Ｈｏｔキーワードデータベースに登録されている各検索キーワードが含まれているレコードのリダイレクトＵＲＬを抽出すること、が記載されていると解される。
　　
（ｅ）上記（ａ）乃至（ｄ）より、各処理は検索サービスシステムを構成する検索サーバまたはログ集計サーバが実行するものであるから、ここにはインターネットによって複数のユーザ端末に接続された検索サービスシステムにおいて、該検索システムを構成する検索サーバ及びログ集計サーバが実行する方法が記載されていると解される。
　
（３）以上のことから、引用例１には次の発明（以下、「引用発明」という。）が記載されていると認められる。 
　　 
 「インターネットによって複数のユーザ端末に接続された検索サービスシステムにおいて、該検索サービスシステムを構成する検索サーバ及びログ集計サーバが実行する方法であって、
　検索サーバが、前記ユーザ端末から検索キーワードを含む検索要求を受信した場合に、検索キーワードを含むウェブサイトの名称をリストアップし、リストアップされた各ウェブサイトの名称がクリックされた場合に各ウェブサイトのＵＲＬをパラメータとしたアクセス要求を送信させるアンカータグが組み込まれている検索結果ページを表示させるためのＨＴＭＬデータを生成し、前記ユーザ端末へ応答すること、
　ログ集計サーバが、前記検索キーワード及び、前記ＨＴＭＬデータによる検索結果ページ上の何れかのウェブサイトの名称がクリックされた時に送信されたリダイレクトＵＲＬの組合せを含むレコードを、該ログ集計サーバに格納されているキーワードサイトランキングデータベースに登録すること、
　ログ集計サーバが、キーワードサイトランキングデータベースのレコードから、Ｈｏｔキーワードデータベースに登録されている各検索キーワードが含まれているレコードのリダイレクトＵＲＬを抽出すること、
を含む方法。」
    　
４．対比  
（１）本願発明と引用発明とを対比する。 
（ア）引用発明における「インターネット」及び「複数のユーザ端末」は、本願発明の「通信ネットワーク」及び「複数のユーザの端末」に相当し、また、引用発明では検索サーバ及びログ集計サーバが実行する方法であるのに対し、本願発明は一のサーバが実行する方法であるものの、どちらもサーバが実行する方法である点で共通するものである。
　そうすると、本願発明と引用発明とは、通信ネットワークを介して複数のユーザの端末と接続可能なサーバが実行する方法、である点で共通するものである。
（イ）引用発明の「ユーザ端末」、「検索キーワード」、「検索要求」及び「ウェブサイト」は本願発明の「ユーザの端末」、「キーワード」、「検索クエリー」及び「Ｗｅｂページ」に相当することは明らかである。
　また、引用発明の「検索結果ページを表示させるためのＨＴＭＬデータ」には、「検索キーワードを含むウェブサイト」の「ＵＲＬをパラメータとしたアクセス要求を送信させるアンカータグが組み込まれている」ことから、「検索結果ページを表示させるためのＨＴＭＬデータ」は「ウェブサイト」のＵＲＬを示す構成であるものと解される。したがって、引用発明の「検索結果ページを表示させるためのＨＴＭＬデータ」は本願発明の「検索結果ページ」に相当するものである。
　そうすると、本願発明と引用発明とは、後記する点で相違するものの、サーバが、前記端末から検索クエリーとしてのキーワードを受けた場合に当該キーワードに対するＷｅｂページのＵＲＬを示す検索結果ページを生成し、当該端末に送信するステップ、を備える点で共通するものである。
（ウ）引用発明の「検索結果ページ」は、「検索結果ページを表示させるためのＨＴＭＬデータ」に基づいて表示したものであるため、検索結果ページを表示させるためのＨＴＭＬデータに基づいて表示された「検索結果ページ」も実質的に本願発明の「検索結果ページ」に相当するものと解される。
　また、「リダイレクトＵＲＬ」はクリックされたウェブサイトの名称に対応付いているＵＲＬであるため、引用発明の「検索結果ページ上の何れかのウェブサイトの名称がクリックされた時に送信されたリダイレクトＵＲＬ」は本願発明の「検索結果ページからユーザに指定されたＵＲＬ」に相当するものである。
　さらに、引用発明の「キーワードサイトランキングデータベース」は、「各検索キーワード」及び「リダイレクトＵＲＬ」「の組合せを含むレコード」として登録するものであるから、引用発明の「前記検索キーワード及び、前記ＨＴＭＬデータによる検索結果ページ上の何れかのウェブサイトの名称がクリックされた時に送信されたリダイレクトＵＲＬの組合せを含むレコード」は本願発明の「前記キーワードと、前記端末に送信された前記検索結果ページからユーザに指定されたＵＲＬとを対応付けたクリックログ」に相当し、また、引用発明の「キーワードサイトランキングデータベースに登録すること」は本願発明の「ログ記憶手段に集積する」ことに相当する。
　してみると、本願発明と引用発明とは、後記する点で相違するものの、サーバが、前記キーワードと、前記端末に送信された前記検索結果ページからユーザに指定されたＵＲＬとを対応付けたクリックログをサーバに設けられたログ記憶手段に集積するステップ、を備える点で共通するものである。
（エ）引用発明の「キーワードサイトランキングデータベースのレコード」は、上記（ウ）で述べたように、本願発明の「クリックログ」に相当し、また、引用発明の「Ｈｏｔキーワードデータベース」は検索キーワードを含むものであるから、引用発明の「Ｈｏｔキーワードデータベース」は本願発明の「所定のキーワード・リスト」に相当するものである。
　そうすると、本願発明と引用発明とは、後記する点で相違するものの、サーバが、前記ログ記憶手段に記憶された前記クリックログから、所定のキーワード・リスト内のキーワードと合致する前記キーワードに対応付けられたＵＲＬを抽出するステップ、を備える点で共通するものである。
　　
（２）以上のことから、本願発明と引用発明との一致点及び相違点は、次のとおりである。 
　（一致点）  
　通信ネットワークを介して複数のユーザの端末と接続可能なサーバが実行する方法であって、
　サーバが、前記端末から検索クエリーとしてのキーワードを受けた場合に当該キーワードに対するＷｅｂページのＵＲＬを示す検索結果ページを生成し、当該端末に送信するステップと、
　サーバが、前記キーワードと、前記端末に送信された前記検索結果ページからユーザに指定されたＵＲＬとを対応付けたクリックログを前記サーバに設けられたログ記憶手段に集積するステップと、
　サーバが、前記ログ記憶手段に記憶された前記クリックログから、所定のキーワード・リスト内のキーワードと合致する前記キーワードに対応付けられたＵＲＬを抽出するステップと、
　を含む方法。
　　
　（相違点） 
　本願発明では、「前記端末から検索クエリーとしてのキーワードを受けた場合に当該キーワードに対するＷｅｂページのＵＲＬを示す検索結果ページを生成し、当該端末に送信するステップ」、「前記キーワードと、前記端末に送信された前記検索結果ページからユーザに指定されたＵＲＬとを対応付けたクリックログを前記サーバに設けられたログ記憶手段に集積するステップ」及び「前記ログ記憶手段に記憶された前記クリックログから、所定のキーワード・リスト内のキーワードと合致する前記キーワードに対応付けられたＵＲＬを抽出するステップ」を同一のサーバが実行する構成であるのに対し、引用発明の「方法」では、検索サーバが「前記端末から検索クエリーとしてのキーワードを受けた場合に当該キーワードに対するＷｅｂページのＵＲＬを示す検索結果ページを生成し、当該端末に送信するステップ」を実行し、ログ集計サーバが「前記キーワードと、前記端末に送信された前記検索結果ページからユーザに指定されたＵＲＬとを対応付けたクリックログをログ記憶手段に集積するステップ」及び「前記ログ記憶手段に記憶された前記クリックログから、所定のキーワード・リスト内のキーワードと合致する前記キーワードに対応付けられたＵＲＬを抽出するステップ」を実行する構成である点。
　 
５．当審の判断  
　確かに引用発明の「方法」においては、検索サーバが「前記端末から検索クエリーとしてのキーワードを受けた場合に当該キーワードに対するＷｅｂページのＵＲＬを示す検索結果ページを生成し、当該端末に送信するステップ」を実行し、ログ集計サーバが「前記キーワードと、前記端末に送信された前記検索結果ページからユーザに指定されたＵＲＬとを対応付けたクリックログをログ記憶手段に集積するステップ」及び「前記ログ記憶手段に記憶された前記クリックログから、所定のキーワード・リスト内のキーワードと合致する前記キーワードに対応付けられたＵＲＬを抽出するステップ」を実行する構成であるものの、前記３．（１）（オ）の記載によれば、上記検索サーバ及びログ集計サーバで夫々別々に実行される処理を、一台のサーバコンピュータ上で実行させることが示唆されていることから、引用発明において、各処理を検索サーバ及びログ集計サーバで夫々別々に実行される構成に代えて、一台のサーバコンピュータ上で各処理を実行することにより上記相違点に係る構成とすることは、当業者であれば容易に想到しえたことである。 
　そして、本願発明の奏する作用効果は、引用発明から予測される範囲内のものにすぎず、格別顕著なものということはできない。  
 　  
６．むすび  
　以上のとおり、本願発明は、引用発明に基づいて、当業者が容易に発明をすることができたものであり、特許法第２９条第２項の規定により特許を受けることができないから、本願は、他の請求項について検討するまでもなく、拒絶すべきものである。  
　　
　よって、結論のとおり審決する。